(57)【要約】【課題】生コンの二度打ち作業時に簡単に使用することができて、コンクリート構造物の表面に二度打ち境界部分が現出しないようにすることのできる生コン流入規制具を提供すること。【解決手段】型枠２０内面に当接される取付面１１と、この取付面１１に連続して、型枠２０内にて立ち上がる立ち上げ面１３とを備えたこと。【選択図】図３
2014214516.tif 000002
【特許請求の範囲】
【請求項１】
コンクリート構造物を生コンの二度打ちによって形成する場合に使用され、前記コンクリート構造物用の型枠内に取り付けられて、前記コンクリート構造物の外面に現れる二度打ち境界部分をグランドレベル以下にするための生コン流入規制具であって、
前記型枠内面に当接される取付面と、この取付面に連続して、前記型枠内にて立ち上がる立ち上げ面とを備えたことを特徴とする生コン流入規制具。
【請求項２】
前記取付面と前記立ち上げ面との下端間に位置して、前記生コンの前記グランドレベル以下への押下を促進する促進部を備えたことを特徴とする請求項１に記載の生コン流入規制具。
【請求項３】
前記生コン流入規制具の端部に、他の前記生コン流入規制具との連結を行う連結部を設けたことを特徴とする請求項１または請求項２に記載の生コン流入規制具。
【請求項４】
前記取付面を前記型枠の内面に取り付けるための磁力取付具を備えたことを特徴とする請求項１〜請求項３のいずれかに記載の生コン流入規制具。
【請求項５】
前記生コン流入規制具として、断面形状の小さい前記生コン流入規制具と、断面形状の大きい前記生コン流入規制具との２種類を用意して、小さい前記生コン流入規制具が大きい前記生コン流入規制具内に収納でき、かつ長さ方向にスライド可能としたことを特徴とする請求項１〜請求項４のいずれかに記載の生コン流入規制具。
【発明の詳細な説明】
【技術分野】
【０００１】
本発明は、コンクリート構造物を生コンの二度打ちによって形成する場合に使用され、二度打ち境界部分をグランドレベル以下にするための生コン流入規制具に関するものである。
【背景技術】
【０００２】
特許文献１の段落０００３には、「コンクリートを２度に分けて打設するようにしていたので、施工性が悪いという問題点があった」ことが指摘されており、これを解決するために、当該文献１では、図９に示すように、
「割栗石３２の上に打設した捨てコンクリート３４の上面に支持部材３８を介して立上りユニット１６を配置し、立上りユニット１６を互いに連結して立上り部１４を組み立てる。その後、型枠３６で形成した型内にコンクリートを打設してベース部１２を形成する。立上りユニット１６における本体１８の表面には、装飾等のための模様が形成される。」
という「住宅用基礎構造」が提案されている。
【０００３】
以上のような「住宅用基礎構造」とすることにより、「コンクリートを２度打ちする必要がなく、しかも立上り部１４に化粧材を貼り付ける必要がないので、施工性を飛躍的に向上できる」ことが、当該特許文献１の要約に記載されている。
【０００４】
しかしながら、当該特許文献１が提案しているような「住宅用基礎構造」は、図９にも示すような非常にコストが掛かかりそうな「立上りユニット１６」を採用しなければならないため、２度打ちを避ける方法として適したものとは考えにくい。
【先行技術文献】
【特許文献】
【０００５】
【特許文献１】特開平９−３２０００号公報、要約、代表図
【発明の概要】
【発明が解決しようとする課題】
【０００６】
住宅用基礎構造を構築する実際の現場では、むしろ、生コンの二度打ちを積極的に取り入れて、複雑な構造のものであっても安価に仕上げる方策が採られている。また、比較的大きな住宅用基礎構造を構築する場合等において、生コン導入がその日だけでは間に合わなくて、やむを得ず「二度打ち」しなければならない場合もある。
【０００７】
この生コンの二度打ちによって、コンクリート構造物の外面に、例えば図２の（ｂ）に示すような「二度打ち境界部分」が目に見える状態で出現することがある。この「二度打ち境界部分」は、住宅用基礎構造等のコンクリート構造物に対して、構造上、あるいは強度上の問題となることは殆ど無いが、特に、所謂「打ち放し」のコンクリート構造物の場合、施主が気にすることがある。
【０００８】
そこで、本発明者等は、生コンの二度打ちのメリットを生かしながら、上述した「二度打ち境界部分」が出現しないようにするにはどうしたらよいか、について種々検討を重ねてきた結果、本発明を完成したのである。
【０００９】
すなわち、本発明が第一目的とするところは、生コンの二度打ち作業時に簡単に使用することができて、コンクリート構造物の表面に二度打ち境界部分が現出しないようにすることのできる生コン流入規制具を、簡単な構造によって提供することにある。
【００１０】
また、本発明が第二目的とするところは、第一目的が達成できて、さらにコンクリート構造物の表面仕上げ材の型枠に対する固定をも行える生コン流入規制具を、簡単な構造によって提供することにある。
【課題を解決するための手段】
【００１１】
以上の課題を解決するために、まず、請求項１に係る発明の採った手段は、後述する実施形態の説明中で使用する符号を付して説明すると、
「コンクリート構造物３０を生コン３０ａの二度打ちによって形成する場合に使用され、コンクリート構造物３０用の型枠２０内に取り付けられて、コンクリート構造物３０の外面に現れる二度打ち境界部分３０ｂをグランドレベル以下にするための生コン流入規制具１０であって、
型枠２０内面に当接される取付面１１と、この取付面１１に連続して、型枠２０内にて立ち上がる立ち上げ面１３とを備えたことを特徴とする生コン流入規制具１０」
である。
【００１２】
この請求項１に係る生コン流入規制具１０は、コンクリート構造物３０を二度打ちによって形成する場合に使用されて、二度打ち境界部分３０ｂをグランドレベル以下にするためのものであり、型枠２０内面に当接される取付面１１と、この取付面１１に連続して、型枠２０内にて立ち上がる立ち上げ面１３とを備えたものである。
【００１３】
このような形状の当該生コン流入規制具１０は、例えば図４の（ａ）及び（ｂ）に示すように、取付面１１、及び立ち上げ面１３が連続したものであるから、例えば一枚の金属板で簡単にプレス成形できるものとなっている。取付面１１は、当該生コン流入規制具１０が設置されるべき型枠２０の内面が平面であるから、平面的なものとすることによって型枠２０への当接が良好に行える。また、この取付面１１の高さは、図３に示すものの場合、立ち上げ面１３より低いものとしてあるが、図５の（ａ）に示すように、立ち上げ面１３の高さよりも低いものであってもよい。
【００１４】
この生コン流入規制具１０の使用方法を、コンクリート構造物３０のベース３１上に立ち上がる立ち上がり部３２を生コン３０ａの二度打ちによって形成する施工例を使用して説明する。まず、図１に示すように、この生コン流入規制具１０は、両型枠２０内に前打ち３２ａを行うに際して、型枠２０の内側面に当接されて、コンクリート構造物３０の外側面を形成することになる型枠２０の内側に設置されるものである。なお、当該生コン流入規制具１０は、この施工例における立ち上がり部３２が２つの部屋を区切る壁であれば、両方の型枠２０の内側に設置されるものであり、立ち上がり部３２だけでなく二度打ち境界部分３０ｂを現出させたくないコンクリート構造物３０の他の部分についても適用されることは言うまでもない。
【００１５】
この生コン流入規制具１０は、二度打ち境界部分３０ｂがグランドレベルＧ．Ｌ．以上のコンクリート構造物３０の見える表面に現出しないように、生コン３０ａ打設の際に使用するものであり、図１に示すように、両型枠２０の組立てが完了された後に使用される。この場合、生コン３０ａの打設によって当該生コン流入規制具１０が浮いてはいけないから、当該生コン流入規制具１０の取付面１１を型枠２０の内面に当接させた状態で、当該生コン流入規制具１０を種々な方法で位置決めしておく。この生コン流入規制具１０の位置決めには、図１に示す例では型枠２０の上側から差し出される取付具１６が使用されており、型枠２０が金属製の場合には、図３中の仮想線で示す磁力取付具１５が使用されるのであるが、例えば水平方向に設置される横棒等、種々なものが適用される。
【００１６】
さて、以上のように生コン流入規制具１０を設置しておいて、両型枠２０内に生コン３０ａの前打ち３２ａを行うと、図３に示すように、当該生コン流入規制具１０の下側に生コン流入空間１７が形成され、当該生コン流入規制具１０の立ち上げ面１３は、この前打ち３２ａが当該生コン流入規制具１０内に進入しないように生コン流入規制具１０内を囲っている。そして、生コン流入空間１７の底面は、当該生コン流入規制具１０の下端によってグランドレベルＧ．Ｌ．以下となるように押し下げられている。
【００１７】
この生コン流入空間１７の底面位置が変化しない程度に生コン３０ａの前打ち３２ａが硬化した後に、当該生コン流入規制具１０のみを取り外せば、当該生コン流入規制具１０が存在していた跡、つまり生コン流入空間１７が上方が開口した状態で現れる。そこで、図２の（ａ）に示すように、生コン３０ａの後打ち３２ｂを打設すれば、この後打ち３２ｂは前打ち３２ａ上を広がると同時に、生コン流入空間１７内への流入が促進される。
【００１８】
この生コン流入空間１７の底面はグランドレベルＧ．Ｌ．以下であったから、この生コン流入空間１７内に流入した後打ち３２ｂの下端は、図２の（ｂ）に示すように、当然グランドレベルＧ．Ｌ．以下となる。つまり、生コン流入空間１７内に流入した後打ち３２ｂの下端によって現出するはずの二度打ち境界部分３０ｂは、当該生コン流入規制具１０を使用することによって、図２の（ｂ）に示すように、グランドレベルＧ．Ｌ．以下となってグランドレベルＧ．Ｌ．によって隠れてしまうのである。
【００１９】
従って、この請求項１の生コン流入規制具１０は、生コン３０ａの二度打ち作業時に簡単に使用することができて、コンクリート構造物３０の表面に二度打ち境界部分３０ｂが現出しないようにし得るものとなっているのである。
【００２０】
また、上記目的を達成するために、請求項２に係る発明の採った手段は、上記請求項１に記載の生コン流入規制具１０について、
「取付面１１と立ち上げ面１３との下端間に位置して、生コン３０ａのグランドレベル以下への押下を促進する促進部１２とを備えたこと」
である。
【００２１】
この請求項２に係る生コン流入規制具１０も、コンクリート構造物３０を二度打ちによって形成する場合に使用されて、二度打ち境界部分３０ｂをグランドレベル以下にするためのものであり、型枠２０内面に当接される取付面１１と、この取付面１１の下端に連続して、生コン３０ａのグランドレベル以下への押下を促進する促進部１２と、この促進部１２の取付面１１とは反対側にて立ち上がる立ち上げ面１３とを備えた、丁度「雨樋」のような形状のものである。
【００２２】
「雨樋」のような形状の当該生コン流入規制具１０は、例えば図４の（ａ）及び（ｂ）に示すように、取付面１１、促進部１２、及び立ち上げ面１３が連続したものであるから、例えば一枚の金属板で簡単にプレス成形できるものとなっている。
【００２３】
一方、生コン流入規制具１０の促進部１２については、図３及び図５の（ａ）に示すように、水平状態のものとしてもよいが、図５の（ｂ）に示すように、「Ｕ字」の底部のような形状のものとしたり、あるいは図５の（ｃ）または（ｄ）に示すように、「Ｖ字」形状のものともよい。
【００２４】
さて、以上のように生コン流入規制具１０を設置しておいて、両型枠２０内に生コン３０ａの前打ち３２ａを行うと、図３に示すように、当該生コン流入規制具１０の下側に生コン流入空間１７が形成され、当該生コン流入規制具１０の立ち上げ面１３は、この前打ち３２ａが当該生コン流入規制具１０内に進入しないように生コン流入規制具１０内を囲っている。そして、生コン流入空間１７の底面は、当該生コン流入規制具１０の主として促進部１２によってグランドレベルＧ．Ｌ．以下となるように押し下げられているのである。
【００２５】
この生コン流入空間１７の底面位置が変化しない程度に生コン３０ａの前打ち３２ａが硬化した後に、当該生コン流入規制具１０のみを取り外せば、当該生コン流入規制具１０が存在していた跡、つまり生コン流入空間１７は上方が開口した状態で現れる。そこで、図２の（ａ）に示すように、生コン３０ａの後打ち３２ｂを打設すれば、この後打ち３２ｂは前打ち３２ａ上を広がると同時に、生コン流入空間１７内への流入が促進されることは、上述した請求項１の生コン流入規制具１０と同様である。
【００２６】
この生コン流入空間１７の底面はグランドレベルＧ．Ｌ．以下であったから、この生コン流入空間１７内に流入した後打ち３２ｂの下端は、図２の（ｂ）に示すように、当然グランドレベルＧ．Ｌ．以下となる。つまり、生コン流入空間１７内に流入した後打ち３２ｂの下端によって現出するはずの二度打ち境界部分３０ｂは、当該生コン流入規制具１０を使用することによって、図２の（ｂ）に示すように、グランドレベルＧ．Ｌ．以下となってグランドレベルＧ．Ｌ．によって隠れてしまうのである。
【００２７】
従って、この請求項２の生コン流入規制具１０も、生コン３０ａの二度打ち作業時に簡単に使用することができて、コンクリート構造物３０の表面に二度打ち境界部分３０ｂが現出しないようにし得るものとなっているのである。
【００２８】
また、上記目的を達成するために、請求項３に係る発明の採った手段は、上記請求項１または請求項２に記載の生コン流入規制具１０について、
「生コン流入規制具１０の端部に、他の生コン流入規制具１０との連結を行う連結部１４を設けたこと」
である。
【００２９】
すなわち、この請求項３に係る生コン流入規制具１０は、図４に示すように、その端部に連結部１４を設けたものであり、図４の（ｃ）に示すように、この連結部１４が他の生コン流入規制具１０の端部内側に入るように、互いに隣接し合う生コン流入規制具１０の位置決めを行えば、他の生コン流入規制具１０との連結が、生コン３０ａの流入がないように行えるのである。
【００３０】
従って、この請求項３の生コン流入規制具１０は、上記請求項１または請求項２のそれと同様な機能を発揮する他、他の生コン流入規制具１０との連結が行えるのである。
【００３１】
さらに、上記課題を解決するために、請求項４に係る発明の採った手段は、上記請求項１〜請求項３のいずれかに記載の生コン流入規制具１０について、
「取付面１１を型枠２０の内面に取り付けるための磁力取付具１５を備えたこと」
である。
【００３２】
磁力取付具１５は、当該生コン流入規制具１０の取付面１１を、金属製の型枠２０の内面に取り付けるのに適したものであり、図７に示すように、ハンドル１５ａの先に磁石１５ｂを一体化したものである。そして、この磁力取付具１５は、図４中の仮想線にて示すように、ハンドル１５ａを手で持って当該生コン流入規制具１０の磁石１５ｂが取付面１１と立ち上げ面１３との間に入るようにしてから取付面１１に当接させれば、磁石１５ｂの磁力によって当該生コン流入規制具１０を型枠２０に固定できるものである。なお、この磁力取付具１５によって型枠２０に取り付けられた生コン流入規制具１０は、型枠２０に接着されているのではないから、磁石１５ｂの磁力に抗した力を生コン流入規制具１０に入れれば、生コン流入規制具１０の位置調整が行えることは言うまでもない。
【００３３】
また、この磁力取付具１５を備えた生コン流入規制具１０は、コンクリート構造物３０の外面に現れる二度打ち境界部分３０ｂをグランドレベル以下にするものという基本機能だけでなく、図８にも示すように、コンクリート構造物３０のための表面仕上げ材４０を型枠２０に固定する場合にも適したものとなっている。
【００３４】
表面仕上げ材４０は、生コン３０ａを組み立てられた両型枠２０内に打設する前に、コンクリート構造物３０の外面を形成することになる型枠２０の内側に取り付けられるものであり、打設された生コン３０ａが固化することによって、コンクリート構造物３０の表面に一体化されるものである。そして、この表面仕上げ材４０自身が有する装飾性によってコンクリート構造物３０の表面の仕上げを行うものである。
【００３５】
この表面仕上げ材４０を型枠２０の内面に取り付けるに当たっては、特にこの表面仕上げ材４０の下部が型枠２０の内面から浮かないようにしなければならないが、それを当該生コン流入規制具１０が実現できるのである。この表面仕上げ材４０を使用する場合には、二度打ち境界部分３０ｂは当該表面仕上げ材４０によって隠されてしまうのであるから、当該表面仕上げ材４０が使用される部分についての生コン流入規制具１０の位置決めは、二度打ち境界部分３０ｂの位置とは無関係に行われる。
【００３６】
従って、この請求項４に係る生コン流入規制具１０は、上記請求項１〜３と同様な機能を発揮する他、表面仕上げ材４０の型枠２０に対する固定をも行えるものとなっているのである。
【００３７】
そして、上記課題を解決するために、請求項５に係る発明の採った手段は、上記請求項１〜請求項４のいずれかに記載の生コン流入規制具１０について、
「生コン流入規制具１０として、断面形状の小さい生コン流入規制具１０と、断面形状の大きい生コン流入規制具１０との２種類を用意して、小さい生コン流入規制具１０が大きい生コン流入規制具１０内に収納でき、かつ長さ方向にスライド可能としたこと」
である。
【００３８】
本発明に係る生コン流入規制具１０は、その取付面１１を型枠２０内面に当接して使用されるものであることが基本であるが、多数の型枠２０が設置されている横方向の長さが生コン流入規制具１０の整数倍である場合は稀である。さらに、多数の型枠２０の横方向長さ全体に亘って、生コン３０ａの前打ち３２ａが一度になされることもある。このような場合には、多数の型枠２０が設置されている横方向の長さと、複数の生コン流入規制具１０の合計長さとが同じでないと部分的な二度打ち境界部分３０ｂの現出を招くことになる。
【００３９】
換言すると、複数の生コン流入規制具１０を連結して、その長さが、多数の型枠２０が設置されている横方向の長さと同じにする必要があるが、そのような場合に、図６に示すように、生コン流入規制具１０として、断面形状の小さい生コン流入規制具１０と、断面形状の大きい生コン流入規制具１０との２種類を用意するのである。そして、小さい生コン流入規制具１０が大きい生コン流入規制具１０内に収納でき、かつ長さ方向にスライド可能とするのである。
【００４０】
このようにすれば、小さい生コン流入規制具１０が大きい生コン流入規制具１０の長さ方向にスライドできるから、これによって、連結された複数の生コン流入規制具１０全体の長さを、多数の型枠２０が設置されている横方向の長さと同じにすることが可能となるのである。
【００４１】
従って、この請求項５に係る生コン流入規制具１０は、上記請求項１〜４のそれと同様な機能を発揮する他、連結された複数の生コン流入規制具１０全体の長さを、多数の型枠２０が設置されている横方向の長さと同じにできるものとなっている。
【発明の効果】
【００４２】
以上の通り、本発明においては、
「コンクリート構造物３０を生コン３０ａの二度打ちによって形成する場合に使用され、コンクリート構造物３０用の型枠２０内に取り付けられて、コンクリート構造物３０の外面に現れる二度打ち境界部分３０ｂをグランドレベル以下にするための生コン流入規制具１０であって、
型枠２０内面に当接される取付面１１と、この取付面１１に連続して、型枠２０内にて立ち上がる立ち上げ面１３とを備えたこと」
にその構成上の主たる特徴があり、これにより、生コン３０ａの二度打ち作業時に簡単に使用することができて、コンクリート構造物３０の表面に二度打ち境界部分３０ｂが現出しないようにすることのできる生コン流入規制具１０を、簡単な構造によって提供することができるのである。
【図面の簡単な説明】
【００４３】
【図１】本発明に係る生コン流入規制具１０を設置した型枠２０内を示す断面図である。
【図２】同生コン流入規制具１０を外して型枠２０内に後打ち３２ｂを行う様子を示したもので、（ａ）は型枠２０内の断面図、（ｂ）は（ａ）の１−１線部の部分拡大正面図である。
【図３】型枠２０内に設置した生コン流入規制具１０を中心に見た図１の部分拡大断面図であり、（ａ）は磁力取付具１５を使用した場合、（ｂ）は取付具１６を使用した場合の部分拡大断面図である。
【図４】同生コン流入規制具１０を示すもので、（ａ）は正面図、（ｂ）は平面図、（ｃ）は２つの生コン流入規制具１０を連結部１４を介して連結したときの部分破断拡大正面図である。
【図５】同生コン流入規制具１０の端面形状を例示するもので、（ａ）は取付面１１及び立ち上げ面１３が同じ高さの場合の斜視図、（ｂ）は「Ｕ字」の場合の側面図、（ｃ）及び（ｄ）は「Ｖ字」の場合の側面図である。
【図６】同生コン流入規制具１０の大小を用意した場合を示し、（ａ）は部分的に重ねた状態の平面図、（ｂ）は（ａ）中の２−２線に沿って見た拡大断面図である。
【図７】同生コン流入規制具１０に付属されることもある磁力取付具１５を示すもので、（ａ）は側面図（ｂ）は正面図である。
【図８】本発明に係る生コン流入規制具１０を使用して、型枠２０の内側に表面仕上げ材４０を固定している様子を示す断面図である。
【図９】特許文献１に提示されている技術を示す断面図である。
【発明を実施するための形態】
【００４４】
以上のように構成した各請求項に係る発明を、図面に示した実施の形態である生コン流入規制具１０について説明すると、この生コン流入規制具１０は、図１に示したように使用され、これが取り外されたとき、図２に示したような生コン流入空間１７を、生コン３０ａの前打ち３２ａと後打ち３２ｂとの境界部分に形成するものである。そして、この実施形態に係る生コン流入規制具１０は、図３及び図４、あるいは図５に示したようなものとして形成される。
【００４５】
この実施形態に係る生コン流入規制具１０は、厚さ０．３ｍｍ前後の金属板を、プレス加工することにより形成したものであり、型枠２０内面に当接される取付面１１と、この取付面１１の下端に連続して、生コン３０ａのグランドレベル以下への流入を促進する促進部１２と、この促進部１２の取付面１１とは反対側にて立ち上がる立ち上げ面１３とを、主として備えた、概略「雨樋」形状をしたものである。つまり、この生コン流入規制具１０の長さは、適宜選定されるものであり、上部開口は１０ｃｍ前後のものである。
【００４６】
取付面１１は、型枠２０との間に生コン３０ａの侵入をできるだけ避けるようにする必要のある部分でもあるから、平面的なものとして形成され、従って、平面である型枠２０の内側面に良好に当接される。この取付面１１の下端に連続する促進部１２は、上記「雨樋」の底を形成することになるものであるが、図３にも示したように、打設された前打ち３２ａがグランドレベルＧ．Ｌ．以下となるようにする部分である。
【００４７】
この促進部１２は、図３、及び図５の（ａ）に示したように、水平面を形成するようにしてもよいし、図５の（ｂ）に示したような「Ｕ字」形状であっても、さらには、図５の（ｃ）及び（ｄ）に示したような「Ｖ字」形状にして実施してもよいものである。立ち上げ面１３が水平面であれば製造が容易であるし、Ｕ字形状であれば設置時に怪我を発生しにくくし、さらに、Ｖ字形状であれば二度打ち境界部分３０ｂの発生が上下に大きくなってもその全体をカバーできる。
【００４８】
促進部１２の先端に連続する立ち上げ面１３は、文字通り、この促進部１２から型枠２０とは反対側で立ち上がるものであり、上述した取付面１１及び促進部１２とともに、生コン流入空間１７を形成することになるものである。この立ち上げ面１３は、前打ち３２ａが打設されるときにその一部が当該生コン流入規制具１０内に進入しないようにする部分である。本実施形態に係る立ち上げ面１３は、図３の（ａ）に示したように、取付面１１より背の高いものとしてあるが、図５の（ａ）に示したように、取付面１１と同じ高さにして実施してもよい。なお、この立ち上げ面１３及び上記取付面１１の上端部は二つ折されていて、これらの端部によって怪我をしないようにしてある。
【００４９】
実施形態の生コン流入規制具１０においては、図４の（ａ）及び（ｂ）に示したように、促進部１２の横方向一端部に連結部１４が突出形成してある。この連結部１４は、図４の（ｃ）に示したように、互いに隣接する生コン流入規制具１０を同一位置で隙間無く連結するためのもので、他の生コン流入規制具１０の、連結部１４が設けられていない促進部１２上にこれを係合させることにより隣接し合う生コン流入規制具１０同士を連結するものである。
【００５０】
以上のように構成した生コン流入規制具１０は、図６に示したように、大小２種類を用意することによっても互いに連結し合える。図６に示した連結方法は、主として当該生コン流入規制具１０の複数を設置する場合の一番端で適用することを想定したものであり、小さい生コン流入規制具１０が大きい生コン流入規制具１０内に収納でき、かつ一方が長さ方向にスライド可能としたものである。
【００５１】
換言すると、複数の生コン流入規制具１０を連結して、その長さが、多数の型枠２０が設置されている横方向の長さと同じにする必要がある場合に、例えば小さい生コン流入規制具１０を大きい生コン流入規制具１０の長さ方向にスライドさせれば、連結された複数の生コン流入規制具１０全体の長さを、多数の型枠２０が設置されている横方向の長さと同じにすることができるのである。
【００５２】
図７には、当該生コン流入規制具１０を表面仕上げ材４０の型枠２０内面に対する固定具としても利用できるようにする磁力取付具１５が示してある。この磁力取付具１５は、これを取り扱うハンドル１５ａと、このハンドル１５ａの先端に設けた磁石１５ｂとからなるものであり、図８に示したようにして使用される。
【００５３】
ここで想定している表面仕上げ材４０は、完成後のコンクリート構造物３０の表面に一体化されるものであり、この表面仕上げ材４０自体で二度打ち境界部分３０ｂを隠すことができるものである。しかしながら、この表面仕上げ材４０は、これを生コン３０ａが打設される前の型枠２０内面に仮止めしなければならないし、その下端部は、固定作業のしにくい型枠２０内にある。また、型枠２０についても、近年ではこれを金属製のものとすることが一般的になってきている。
【００５４】
一方、この生コン流入規制具１０の取付面１１は、横方向に長く形成される部分であるし、磁力取付具１５は磁石１５ｂを有したものである。そこで、この生コン流入規制具１０と磁力取付具１５を図８に示したように使用することによって、表面仕上げ材４０の下端部の、型枠２０内面に対する固定が容易に行えることになるのである。なお、実際上は、生コン３０ａの前打ち３２ａをすることによって、表面仕上げ材４０の下端部の型枠２０への押圧がなされるから、当該生コン流入規制具１０及び磁力取付具１５は、前打ち３２ａが済んだ時点で取り外される。
【符号の説明】
【００５５】
１０    生コン流入規制具
１１    取付面
１２    促進部
１３    立ち上げ面
１４    連結部
１５    磁力取付具
１５ａ  ハンドル
１５ｂ  磁石
１６    取付具
１７    生コン流入空間
２０    型枠
３０    コンクリート構造物
３０ａ  生コン
３０ｂ  二度打ち境界部分
３１    ベース
３２    立ち上がり部
３２ａ  前打ち
３２ｂ  後打ち
４０    表面仕上げ材
Ｇ．Ｌ．  グランドレベル
【図１】
2014214516.tif 000003
【図２】
2014214516.tif 000004
【図３】
2014214516.tif 000005
【図４】
2014214516.tif 000006
【図５】
2014214516.tif 000007
【図６】
2014214516.tif 000008
【図７】
2014214516.tif 000009
【図８】
2014214516.tif 000010
【図９】
2014214516.tif 000011